(57)【要約】【課題】寝心地を向上させると共に、床擦れの予防が図れるマットレスを提供すること。【解決手段】ウレタンフォームよりなる複数のマットレス形成体を上下方向に非接着状態にて積層し、少なくとも一つのマットレス形成体の一面に、左右方向に伸延する凸条部を形成する一方、同マットレス形成体の一面と対面する別個のマットレス形成体の一面に、左右方向に伸延する凹条部を形成して、両マットレス形成体を凸条部と凹条部とが相互に嵌合状態となるように積層させると共に、一方のマットレス形成体に形成した凸条部と、他方のマットレス形成体に形成した凹条部との間に、左右方向に伸延する空間を形成した。【選択図】        図１
2004180803.tif 000002
【特許請求の範囲】
【請求項１】
ウレタンフォームよりなる複数のマットレス形成体を上下方向に非接着状態にて積層し、
少なくとも一つのマットレス形成体の一面に、左右方向に伸延する凸条部を形成する一方、同マットレス形成体の一面と対面する別個のマットレス形成体の一面に、左右方向に伸延する凹条部を形成して、
両マットレス形成体を凸条部と凹条部とが相互に嵌合状態となるように積層させると共に、一方のマットレス形成体に形成した凸条部と、他方のマットレス形成体に形成した凹条部との間に、左右方向に伸延する空間を形成したことを特徴とするマットレス。
【請求項２】
ウレタンフォームよりなる複数のマットレス形成体を上下方向に非接着状態にて積層し、
少なくとも一つのマットレス形成体の一面に、左右方向に伸延する凸条部と凹条部とを前後方向に連続させて、側面視にて波打ち状の波打ち面を形成し、
同波打ち面と対面する別個のマットレス形成体の一面にも、左右方向に伸延する凸条部と凹条部とを前後方向に連続させて、側面視にて波打ち状の波打ち面を形成して、
両マットレス形成体を凸条部と凹条部とが相互に嵌合状態となるように積層させると共に、一方のマットレス形成体に形成した凸条部の頂部面と、他方のマットレス形成体に形成した凹条部の谷部面との間に、左右方向に伸延する空間を形成したことを特徴とするマットレス。
【請求項３】
一方のマットレス形成体は、他方のマットレス形成体よりも高密度素材により成形したことを特徴とする請求項１又は２記載のマットレス。
【請求項４】
使用時にマットレス形成体が加圧変形された場合にも、左右方向に伸延する空間は保持されるようにしたことを特徴とする請求項１〜３のいずれか１項に記載のマットレス。
【発明の詳細な説明】
【０００１】
【発明の属する技術分野】
本発明は、マットレスに関する。
【０００２】
【従来の技術】
従来、マットレスの一形態として、複数のマットレス形成体を上下方向に接着剤等により接着して積層したものがあり、同マットレスでは、硬質のマットレス形成体と軟質のマットレス形成体を交互に積層させて形成している（例えば、特許文献１参照。）。
【０００３】
【特許文献１】
特開平６−２４５８５０号
【０００４】
【発明が解決しようとする課題】
ところが、前記したマットレスでは、複数のマットレス形成体を上下方向に接着剤等により接着しているために、接合部分が硬くなると共に、積層したマットレス形成体同士が相互にずれることがなく、引張に対して抵抗となる。そのために、使用者の体圧が分散され難く、使用者にとって寝心地が良くないという不具合がある。
【０００５】
また、通気性を良好に確保するための手段が講じられていない。
【０００６】
【課題を解決するための手段】
そこで、本発明では、ウレタンフォームよりなる複数のマットレス形成体を上下方向に非接着状態にて積層し、少なくとも一つのマットレス形成体の一面に、左右方向に伸延する凸条部を形成する一方、同マットレス形成体の一面と対面する別個のマットレス形成体の一面に、左右方向に伸延する凹条部を形成して、両マットレス形成体を凸条部と凹条部とが相互に嵌合状態となるように積層させると共に、一方のマットレス形成体に形成した凸条部と、他方のマットレス形成体に形成した凹条部との間に、左右方向に伸延する空間を形成したことを特徴とするマットレスを提供するものである。
【０００７】
また、本発明は、以下の構成にも特徴を有する。
【０００８】
（１）ウレタンフォームよりなる複数のマットレス形成体を上下方向に非接着状態にて積層し、少なくとも一つのマットレス形成体の一面に、左右方向に伸延する凸条部と凹条部とを前後方向に連続させて、側面視にて波打ち状の波打ち面を形成し、同波打ち面と対面する別個のマットレス形成体の一面にも、左右方向に伸延する凸条部と凹条部とを前後方向に連続させて、側面視にて波打ち状の波打ち面を形成して、両マットレス形成体を凸条部と凹条部とが相互に嵌合状態となるように積層させると共に、一方のマットレス形成体に形成した凸条部の頂部面と、他方のマットレス形成体に形成した凹条部の谷部面との間に、左右方向に伸延する空間を形成したこと。
【０００９】
（２）一方のマットレス形成体は、他方のマットレス形成体よりも高密度素材により成形したこと。
【００１０】
（３）使用時にマットレス形成体が加圧変形された場合にも、左右方向に伸延する空間は保持されるようにしたこと。
【００１１】
【発明の実施の形態】
以下に、本発明の実施の形態について説明する。
【００１２】
すなわち、本発明に係るマットレスは、ウレタンフォームよりなる複数のマットレス形成体を上下方向に非接着状態にて積層し、少なくとも一つのマットレス形成体の一面に、左右方向に伸延する凸条部を形成する一方、同マットレス形成体の一面と対面する別個のマットレス形成体の一面に、左右方向に伸延する凹条部を形成して、両マットレス形成体を凸条部と凹条部とが相互に嵌合状態となるように積層させると共に、一方のマットレス形成体に形成した凸条部と、他方のマットレス形成体に形成した凹条部との間に、左右方向に伸延する空間を形成している。
【００１３】
また、ウレタンフォームよりなる複数のマットレス形成体を上下方向に非接着状態にて積層し、少なくとも一つのマットレス形成体の一面に、左右方向に伸延する凸条部と凹条部とを前後方向に連続させて、側面視にて波打ち状の波打ち面を形成し、同波打ち面と対面する別個のマットレス形成体の一面にも、左右方向に伸延する凸条部と凹条部とを前後方向に連続させて、側面視にて波打ち状の波打ち面を形成して、両マットレス形成体を凸条部と凹条部とが相互に嵌合状態となるように積層させると共に、一方のマットレス形成体に形成した凸条部の頂部面と、他方のマットレス形成体に形成した凹条部の谷部面との間に、左右方向に伸延する空間を形成している。
【００１４】
しかも、一方のマットレス形成体は、他方のマットレス形成体よりも高密度素材により成形している。
【００１５】
さらには、使用時にマットレス形成体が加圧変形された場合にも、左右方向に伸延する空間は保持されるようにしている。
【００１６】
【実施例】
以下に、本発明の実施例を、図面を参照しながら説明する。
【００１７】
〔第１実施例〕
図１に示すＡは、本発明にかかる第１実施例としてのマットレスであり、同マットレスＡは、ウレタンフォームにより板状に成形した複数（本実施例では５層）の第１〜第５マットレス形成体１，２，３，４，５を上下方向に非接着状態にて積層し、これらのマットレス形成体１，２，３，４，５の前端部と後端部にそれぞれウレタンフォームにより平板状に成形した端部連結体６，７を連設している。なお、本実施例では、マットレスＡを被覆するマットレスカバーを省略している。
【００１８】
そして、図２に示すように、最上層の第１マットレス形成体１は、上面１ａを平面に形成し、下面１ｂに、左右方向に伸延して断面半円弧状の複数の凸条部１ｃを、前後方向に一定の間隔を開けて形成している。
【００１９】
また、第２マットレス形成体２は、第１マットレス形成体１の下面１ｂと対面する上面２ａに、左右方向に伸延して断面半円弧状の複数の凹条部２ｂを、前後方向に一定の間隔を開けて形成して、両マットレス形成体１，２を凸条部１ｃと凹条部２ｂとが相互に嵌合状態となるように積層させている。
【００２０】
しかも、第１マットレス形成体１に形成した凸条部１ｃと、第２マットレス形成体２に形成した凹条部２ｂとの間には、左右方向に伸延する空間Ｓを形成すると共に、第１マットレス形成体１は、高通気性の素材により成形する一方、第２マットレス形成体２は、第１マットレス形成体１よりも高密度素材により成形している。
【００２１】
ここで、断面半円弧状に形成した凸条部１ｃの突出幅（突出半径）Ｗ１に対して、断面半円弧状に形成した凹条部２ｂの凹み幅（凹み半径）Ｗ２は、略２倍となる大きさに形成している。
【００２２】
さらには、図２に示すように、第２マットレス形成体２の下面に、左右方向に伸延する凸条部２ｃと凹条部２ｄとを前後方向に連続させて、側面視にて波打ち状（正弦波状）の波打ち面２ｅを形成している。
【００２３】
また、第３マットレス形成体３は、上記した第２マットレス形成体２の波打ち面２ｅと対面する上面に、左右方向に伸延する凸条部３ａと凹条部３ｂを前後方向に連続させて、側面視にて波打ち状（正弦波状）の波打ち面３ｃを形成して、両マットレス形成体２，３を凸条部２ｃと凹条部３ｂとが相互に嵌合状態となるように積層させている。
【００２４】
しかも、第２マットレス形成体２に形成した正弦波状の波打ち面２ｅと、第３マットレス形成体３に形成した正弦波状の波打ち面３ｃは、それぞれ波長を略同一に形成すると共に、波打ち面２ｅの振幅よりも、波打ち面３ｃの振幅を大きく形成して、凸条部２ｃの頂部面２ｆと、凹条部３ｂの谷部面３ｄとの間に、左右方向に伸延する空間Ｓを形成しており、第３マットレス形成体３の下面３ｅは平面に形成している。
【００２５】
さらには、第３マットレス形成体３は、直上層の第２マットレス形成体２よりも高密度素材により成形している。
【００２６】
また、第４マットレス形成体４は、上面４ａを直上層の第３マットレス形成体３の下面３ｅと面接触する平面に形成すると共に、同第４マットレス形成体４の下面には、左右方向に伸延する凸条部４ｂと凹条部４ｃとを前後方向に連続させて、側面視にて波打ち状（正弦波状）の波打ち面４ｄを形成している。
【００２７】
しかも、本実施例では、第３マットレス形成体３と第４マットレス形成体４は、同一形状に成形して共用することができるようにしている。
【００２８】
また、第５マットレス形成片５は、直上層の第４マットレス形成体４の波打ち面４ｄと対面する上面に、左右方向に伸延する凸条部５ａと凹条部５ｂとを前後方向に連続させて、側面視にて波打ち状（正弦波状）の波打ち面５ｃを形成して、両マットレス形成体４，５を凸条部４ｂと凹条部５ｂとが相互に嵌合状態となるように積層させている。
【００２９】
しかも、第４マットレス形成体４に形成した正弦波状の波打ち面４ｄと、第５マットレス形成体５に形成した正弦波状の波打ち面５ｃは、それぞれ波長を略同一に形成すると共に、波打ち面４ｄの振幅よりも、波打ち面５ｃの振幅を大きく形成して、凸条部４ｂの頂部面４ｅと、凹条部５ｂの谷部面５ｄとの間に、左右方向に伸延する空間Ｓを形成しており、第５マットレス形成体５の下面５ｅは平面に形成している。
【００３０】
さらには、下層の第５マットレス形成体５は、上層の第４マットレス形成体２よりも高密度素材（第２マットレス形成体２と同一素材）により成形している。
【００３１】
このようにして、五層のマットレス形成体１，２，３，４，５を相互に接着することなく積層させると共に、第１マットレス形成体１の下面に形成した左右方向に伸延する凸条部１ｃを、同第１マットレス形成体１の下面１ｂと対面する第２マットレス形成体２の上面２ａに形成した左右方向に伸延する凹条部２ｂに嵌合させ、これらの凸条部１ｃと凹条部２ｂとの間に空間Ｓを形成し、また、第２マットレス形成体２の下面に形成した左右方向に伸延する凸条部２ｃを、同第２マットレス形成体２の下面と対面する第３マットレス形成体３の上面に形成した左右方向に伸延する凹条部３ｂに嵌合させ、これらの凸条部２ｃと凹条部３ｂとの間に空間Ｓを形成し、また、第４マットレス形成体４の下面に形成した左右方向に伸延する凸条部４ｂを、同第４マットレス形成体４の下面と対面する第５マットレス形成体５の上面に形成した左右方向に伸延する凹条部５ｂに嵌合させ、これらの凸条部４  ｂと凹条部５ｂとの間に空間Ｓを形成しているため、マットレスＡが使用者の体圧を受けた際には、各マットレス形成体１，２，３，４，５に形成した凸条部１ｃ，２ｃ，５ａと凹条部２ｂ，３ｂ，４ｃとが相互に圧縮変形されながら空間Ｓを介して前後ないしは左右方向に移動して、使用者にウォーターベッドのような心地よい横揺れ感を与えることができて、使用者の寝心地を良好に確保することができる。
【００３２】
図３は、使用材質別の変位グラフを示しており、変位グラフａは、第１マットレス形成体１と同一素材により成形したマットレスの変位グラフ、変位グラフｂは、第２マットレス形成体２と同一素材により成形したマットレスの変位グラフ、変位グラフｃは、第３マットレス形成体３と同一素材により成形したマットレスの変位グラフ、変位グラフｄは、本発明にかかる第１実施例としてのマットレスＡの変位グラフである。
【００３３】
図３より明らかなように、本発明にかかる第１実施例としてのマットレスＡの変位グラフｄは、他の変位グラフａ，ｂ，ｃに比べて直線に近いグラフとなっている。
【００３４】
このように、本発明にかかる第１実施例としてのマットレスＡでは、五層のマットレス形成体１，２，３，４，５を、相互に接着することなく積層させて、相互に嵌合状態に対面している一方のマットレス形成体は、他方のマットレス形成体よりも高密度素材により成形すると共に、他のマットレス形成体の弾性や硬性（軟性）を適宜設定して、荷重（加圧）と変形量（変位率）との関係が体圧分散性の良い形態となるように設計することができて、床擦れの予防が図れる。
【００３５】
ここで、体圧分散性の良い形態とは、例えば、荷重に対して変形量が略直線的に比例して増大する形態であり、わずかな荷重で大きく変形したり、一定の荷重を越えると急激に大きく変形したりするような形態ではなく、荷重に比例して漸次変形する形態である。
【００３６】
また、左右方向に伸延する空間Ｓにより、マットレスＡの通気性を良好に確保することができる。
【００３７】
〔第２実施例〕
図４は、本発明にかかる第２実施例としてのマットレスＡの一部断面図を示しており、同第２実施例としてのマットレスＡは、前記した第１実施例としてのマットレスＡと基本的構造を同じくしているが、第１〜第４マットレス形成体１１，１２，１３，１４を積層した四層構造とし、第２マットレス形成体１２と第３マットレス形成体１３との間にだけ空間Ｓを形成した点で異なる。
【００３８】
すなわち、第１マットレス形成体１１は、上面１１ａと下面１１ｂを平面に形成して、平面板状となしている。
【００３９】
そして、第２マットレス形成体１２は、第１マットレス形成体１１の下面１１ｂと面接する上面１２ａを平面に形成する一方、下面に左右方向に伸延する凸条部１２ｂと凹条部１２ｃとを前後方向に連続させて、側面視にて波打ち状（正弦波状）の波打ち面１２ｄを形成している。
【００４０】
また、第３マットレス形成体１３は、上記した第２マットレス形成体１２の波打ち面１２ｄと対面する上面に、左右方向に伸延する凸条部１３ａと凹条部１３ｂを前後方向に連続させて、側面視にて波打ち状（正弦波状）の波打ち面１３ｃを形成して、両マットレス形成体２，３を凸条部１２ｂと凹条部１３ｂとが相互に嵌合状態となるように積層させている。
【００４１】
しかも、第２マットレス形成体２に形成した正弦波状の波打ち面１２ｄと、第３マットレス形成体３に形成した正弦波状の波打ち面１３ｃは、それぞれ波長を略同一に形成すると共に、波打ち面１２ｄの振幅よりも、波打ち面１３ｃの振幅を略３倍の大きさに形成して、凸条部１２ｂの頂部面１２ｅと、凹条部１３ｂの谷部面１３ｄとの間に、左右方向に伸延する空間Ｓを形成しており、第３マットレス形成体１３の下面１３ｅは平面に形成している。
【００４２】
また、第４マットレス形成体１４は、上面１４ａと下面１４ｂを平面に形成して、平面板状となしており、上面１４ａを直上層の第３マットレス形成体１３の下面１３ｅと面接触する平面に形成している。
【００４３】
しかも、第４マットレス形成体１４は、第１マットレス形成体１１と同一素材にて同一形状に成形して、共用することができるようにしている。
【００４４】
ここで、第３マットレス形成体１３は、高密度素材により成形する一方、第２マットレス形成体１２は低反発性素材により成形し、第１マットレス形成体１１と第４マットレス形成体１４は、第２マットレス形成体１２と第３マットレス形成体１３の中間の弾性力を有する素材により成形している。
【００４５】
このようにして、四層の第１〜第４マットレス形成体１１，１２，１３，１４を相互に接着することなく積層させると共に、第２マットレス形成体１２の下面に形成した波打ち面１２ｄを、同第２マットレス形成体１２の下面と対面する第３マットレス形成体１３の上面に形成した波打ち面１３ｃとを嵌合させ、これらの凸条部１２ｂの頂部面１２ｅと凹条部１３ｂの谷部面１３ｄとの間に、左右方向に伸延する空間Ｓを、前後方向に一定の間隔を開けて多数形成することができるため、マットレスＡが使用者の体圧を受けた際には、凸条部１２ｂと凹条部１３ｂとが相互に圧縮変形されながら空間Ｓを介して前後ないしは左右方向に移動して、使用者にウォーターベッドのような心地よい横揺れ感を与えることができて、使用者の寝心地を良好に確保することができる。
【００４６】
しかも、本実施例では、第２マットレス形成体２に形成した正弦波状の波打ち面１２ｄと、第３マットレス形成体３に形成した正弦波状の波打ち面１３ｃは、それぞれ波長を略同一に形成すると共に、波打ち面１２ｄの振幅よりも、波打ち面１３ｃの振幅を略３倍の大きさに形成して、凸条部１２ｂの頂部面１２ｅと、凹条部１３ｂの谷部面１３ｄとの間に、左右方向に伸延する空間Ｓを形成して、使用時にマットレスＡが加圧変形された場合にも、左右方向に伸延する空間Ｓは保持されるようにしている。
【００４７】
このようにして、マットレスＡの通気性を使用時においても良好に確保することができると共に、クッション性も良好に確保することができる。
【００４８】
その結果、使用者が寝たきりの老人や長期間病床に臥した人であっても、かかるマットレスにより寝心地を良好に確保すると共に、床擦れを予防することができる。
【００４９】
図５は、使用材質別の変位グラフを示しており、変位グラフｅは、第１マットレス形成体１１と同一素材により成形したマットレスの変位グラフ、変位グラフｆは、第２マットレス形成体１２と同一素材により成形したマットレスの変位グラフ、変位グラフｇは、第３マットレス形成体１３と同一素材により成形したマットレスの変位グラフ、変位グラフｈは、高硬度のウレタンフォーム素材により成形したマットレスの変位グラフ、変位グラフｉは、本発明にかかる第１実施例としてのマットレスＡの変位グラフである。
【００５０】
図５より明らかなように、本発明にかかる第２実施例としてのマットレスＡの変位グラフｉは、他の変位グラフｅ，ｆ，ｇ，ｈに比べて直線に近いグラフとなっている。
【００５１】
この際、四層の第１〜第４マットレス形成体１１，１２，１３，１４は、相互に接着することなく積層させて、下層の第３マットレス形成体１３は、直上層の第２マットレス形成体１２よりも高密度素材により成形すると共に、第１・第４マットレス形成体１１，１４の弾性や硬性（軟性）を適宜設定して、荷重（加圧）と変形量（変位率）との関係が体圧分散性の良い形態となるように設計することができて、床擦れの予防が図れる。
【００５２】
ここで、体圧分散性の良い形態とは、例えば、荷重に対して変形量が略直線的に比例して増大する形態であり、わずかな荷重で大きく変形したり、一定の荷重を越えると急激に大きく変形したりするような形態ではなく、荷重に比例して漸次変形する形態である。
【００５３】
また、マットレスＡを前後方向の部位により、構成を異ならせることもできる。例えば、前部と中間部と後部の三個に分割して、前部と後部は第１実施例にかかるマットレスＡと同様の構成とし、中間部は第２実施例にかかるマットレスＡと同様の構成とすることも、また、前部と後部は第２実施例にかかるマットレスＡと同様の構成とし、中間部は第１実施例にかかるマットレスＡと同様の構成とすることもできる。
【００５４】
このようにして、使用者の体型等によりマットレスＡに作用する荷重が異なることを考慮して、体圧分散性を良好に確保することのできるマットレスＡを設計することができる。
【００５５】
【発明の効果】
（１）請求項１記載の本発明では、ウレタンフォームよりなる複数のマットレス形成体を上下方向に非接着状態にて積層し、少なくとも一つのマットレス形成体の一面に、左右方向に伸延する凸条部を形成する一方、同マットレス形成体の一面と対面する別個のマットレス形成体の一面に、左右方向に伸延する凹条部を形成して、両マットレス形成体を凸条部と凹条部とが相互に嵌合状態となるように積層させると共に、一方のマットレス形成体に形成した凸条部と、他方のマットレス形成体に形成した凹条部との間に、左右方向に伸延する空間を形成している。
【００５６】
このようにして、複数のマットレス形成体を相互に接着することなく積層させると共に、一つのマットレス形成体の一面に形成した左右方向に伸延する凸条部を、同マットレス形成体の一面と対面する別個のマットレス形成体の一面に形成した左右方向に伸延する凹条部に嵌合させ、これらの凸条部と凹条部との間に空間を形成しているため、マットレスが使用者の体圧を受けた際には、凸条部と凹条部とが相互に圧縮変形されながら空間を介して前後ないしは左右方向に移動して、使用者にウォーターベッドのような心地よい横揺れ感を与えることができて、使用者の寝心地を良好に確保することができる。
【００５７】
また、左右方向に伸延する空間により、マットレスの通気性を良好に確保することができる。
【００５８】
（２）請求項２記載の本発明では、ウレタンフォームよりなる複数のマットレス形成体を上下方向に非接着状態にて積層し、少なくとも一つのマットレス形成体の一面に、左右方向に伸延する凸条部と凹条部とを前後方向に連続させて、側面視にて波打ち状の波打ち面を形成し、同波打ち面と対面する別個のマットレス形成体の一面にも、左右方向に伸延する凸条部と凹条部とを前後方向に連続させて、側面視にて波打ち状の波打ち面を形成して、両マットレス形成体を凸条部と凹条部とが相互に嵌合状態となるように積層させると共に、一方のマットレス形成体に形成した凸条部の頂部面と、他方のマットレス形成体に形成した凹条部の谷部面との間に、左右方向に伸延する空間を形成している。
【００５９】
このようにして、複数のマットレス形成体を相互に接着することなく積層させると共に、一つのマットレス形成体の一面に形成した波打ち面を、同マットレス形成体の一面と対面する別個のマットレス形成体の一面に形成した波打ち面とを嵌合させ、これらの凸条部の頂部面と凹条部の谷部面との間に左右方向に伸延する空間を、前後方向に一定の間隔を開けて多数形成することができるため、マットレスが使用者の体圧を受けた際には、凸条部と凹条部とが相互に圧縮変形されながら空間を介して前後ないしは左右方向に移動して、使用者にウォーターベッドのような心地よい横揺れ感を与えることができて、使用者の寝心地を良好に確保することができる。
【００６０】
また、左右方向に伸延する空間により、マットレスの通気性を良好に確保することができる。
【００６１】
（３）請求項３記載の本発明では、一方のマットレス形成体は、他方のマットレス形成体よりも高密度素材により成形している。
【００６２】
このようにして、複数のマットレス形成体は、相互に接着することなく積層させて、一方のマットレス形成体は、他方のマットレス形成体よりも高密度素材により成形すると共に、他のマットレス形成体の密度素材を弾性や硬性（軟性）のものに適宜設定して、荷重と変形量との関係が体圧分散性の良い形態となるように設計することができて、床擦れの予防が図れる。
【００６３】
ここで、体圧分散性の良い形態とは、例えば、荷重に対して変形量が略直線的に比例して増大する形態であり、わずかな荷重で大きく変形したり、一定の荷重を越えると急激に大きく変形したりするような形態ではなく、荷重に比例して漸次変形する形態である。
【００６４】
（４）請求項４記載の本発明では、使用時にマットレス形成体が加圧変形された場合にも、左右方向に伸延する空間は保持されるようにしている。
【００６５】
このようにして、マットレスの通気性を使用時においても良好に確保することができると共に、クッション性も良好に確保することができる。
【００６６】
その結果、使用者が寝たきりの老人や長期間病床に臥した人であっても、かかるマットレスにより寝心地を良好に確保すると共に、床擦れを予防することができる。
【図面の簡単な説明】
【図１】第１実施例としてのマットレスの斜視図。
【図２】同マットレスの一部拡大断面図。
【図３】使用材質別の変位グラフ。
【図４】第２実施例としてのマットレスの一部拡大断面図。
【図５】使用材質別の変位グラフ。
【符号の説明】
Ａ  マットレス
１  第１マットレス形成体
２  第２マットレス形成体
３  第３マットレス形成体
４  第４マットレス形成体
５  第５マットレス形成体
【図１】
2004180803.tif 000003
【図２】
2004180803.tif 000004
【図３】
2004180803.tif 000005
【図４】
2004180803.tif 000006
【図５】
2004180803.tif 000007